(57)【要約】      （修正有）【課題】組立が簡単であり、はんだ接合又は接着組立を含まない、高レベルの信頼性のＥＭＣフィルタを提供する。【解決手段】コンデンサ４０と母線１５との間の電気接触が、板ばね４６によって保証される一方で、磁気コアが、弾性のスペーサ３５によって所定の位置に保持される。当該スペーサ３５は、２つの部品内で、金属化されたプラスチック製のハウジング１２ａ，１２ｂの内面に対して押圧する。組み立て中と完成した製品とにおいて、コンデンサ４０及び磁気コアを所定の位置に保持するため、当該フィルタは、コンデンサ４０及び磁気コアに係合するように形成された設置部付きのプラスチック製のフレーム１８ａ，１８ｂを有する。当該アセンブリは、ハウジングの周りで嵌着する弾性のクランプ６０ａ，６０ｂによって一緒に保持される。【選択図】図１
0003188555.tif 000002
【実用新案登録請求の範囲】
【請求項１】
ＥＭＣフィルタ（１００）において、
通電用の剛体の母線から成る少なくとも１つの導体（１５）と、前記導体（１５）のインピーダンスを変更するための１つ以上の磁気要素（３０）と、前記導体（１５）と接地導体（４７）との間に接続された１つ以上のコンデンサ（４０）と、前記磁気要素（３０）と前記コンデンサ（４０）と前記導体（１５）の少なくとも一部とを封入するハウジング（１２ａ，１２ｂ）と、前記ハウジング（１２ａ，１２ｂ）とコンデンサ（４０）と磁気要素（３０）と導体（１５）とを保持する１つ以上のクランプ（６０ａ，６０ｂ）とから一定の空間関係で一緒に構成される当該ＥＭＣフィルタ（１００）。
【請求項２】
前記ハウジングは、互いに接続可能な少なくとも２つの部品から成る請求項１に記載のＥＭＣフィルタ（１００）。
【請求項３】
前記ＥＭＣフィルタ（１００）は、前記ハウジング（１２ａ，１２ｂ）の外側に設置された１つ以上の弾性のクランプ（６０ａ，６０ｂ）をさらに有する請求項１又は２に記載のＥＭＣフィルタ（１００）。
【請求項４】
前記クランプ（６０ａ，６０ｂ）は、金属製であり、前記クランプを前記ハウジング（１２ａ，１２ｂ）に固着するために、当該ハウジング上の対応する緩み止め機構（１７）に係合するために配置された緩み止め部（６７）を有する請求項３に記載のＥＭＣフィルタ（１００）。
【請求項５】
前記コンデンサ（４０）は、リードレスであり、その各々が、対向する２つの平面を有し、その各々が、平坦な電気端子を有し、前記ＥＭＣフィルタは、前記導体（１５）と前記コンデンサ（４０）との間、及び前記コンデンサ（４０）と前記設置導体（４５ａ）との間に挿入された接触ばね（４６）をさらに有する請求項１〜４のいずれか１項に記載のＥＭＣフィルタ（１００）。
【請求項６】
前記磁気要素（３０）は、前記導体（１５）の周りに磁気回路を形成する、一対の「Ｃ字」形の磁気コアから成る請求項１〜５のいずれか１項に記載のＥＭＣフィルタ（１００）。
【請求項７】
前記ＥＭＣフィルタ（１００）は、前記コンデンサ（４０）及び前記磁気要素（３０）を前記導体（１５）の周りに保持するための設置部付きの１つ以上のプラスチック製のホルダフレーム（１８ａ，１８ｂ）を有する請求項１〜６のいずれか１項に記載のＥＭＣフィルタ（１００）。
【請求項８】
前記ハウジングは、金属化プラスチックである請求項１〜７のいずれか１項に記載のＥＭＣフィルタ（１００）。
【請求項９】
前記磁気要素（３０）と前記コンデンサ（４０）と前記導体（１５）との周りに差込部分を形成するため、前記ハウジングは、一緒に嵌着可能であるように２つの部品（１２ａ，１２ｂ）から成る請求項１〜８のいずれか１項に記載のＥＭＣフィルタ（１００）。
【請求項１０】
前記ＥＭＣフィルタ（１００）は、前記ハウジング（１２ａ，１２ｂ）に対して前記磁気コア（３０）を位置決めするために弾性のスペーサ（３５）を有する請求項１〜９のいずれか１項に記載のＥＭＣフィルタ（１００）。
【考案の詳細な説明】
【技術分野】
【０００１】
本考案の分野
本考案の実施の形態は、望まないノイズ成分を除去するために適するＥＭＣフィルタ、特に小型化された単極ＥＭＣフィルタに関する。本考案のフィルタは、特に自動車の用途に適する。もっとも、当該フィルタは、自動車の用途で使用するだけのものではない。
【背景技術】
【０００２】
関連技術の説明
ＥＭＣフィルタは、現在では、給電網に接続された電気機器及び電子機器のあらゆる種類の故障を発生させうる望まないノイズを濾波する目的で使用される。ＥＭＣフィルタを、例えばインバータ給電方式のモータから発生された望まないノイズを抑えるために、交流系統で使用すること、及び、直流系統で、例えば、内燃機関、電気モータ又はハイブリッドシステムを備える自動車で使用することが公知である。
【０００３】
例えばπ型フィルタ回路を有するフィルタが、敏感な機器又はノイズを発生させる機器に対して電力を供給する電力線路の広帯域ノイズを低減させるために主に使用される。１つのπ型フィルタ回路が、主に２つの同一のコンデンサ部品と１つの強磁性部品とから構成される。独国特許第４２１８１７１号明細書、独国特許第１０２４００８４号明細書又は特国特許第４０２５１５９号明細書が、当該フィルタのフィードスルー構造を開示する。
【０００４】
公知の多くのＥＭＣフィルタは、フィルタコンデンサを有する。当該フィルタコンデンサは、はんだ接合によって電力導体と接地端子とに電気接続される。しかしながら、特に、フィルタが、多くの数量で大量生産される必要があるときは、この配置は、製造コストを増大させる。他方では、はんだ接合は、様々な理由に起因して失敗するおそれがあり、また信頼性の問題を起こしうる。
【０００５】
ＥＭＣフィルタを様々な機構のハウジング内に封入して、異物と液体との双方に対する保護を提供し、また電磁シールドを提供することも公知である。フィルタ及びハウジングの複数の構成要素が、ねじ又は様々な締結装置によって、又は接着接合によって一緒に接合される。多くの場合、フィルタは、樹脂のポッティングによって液体の浸入に強く製造される。しかしながら、当該手段は、製造コストを増大させる。
【０００６】
ヨーロッパ特許第１３４９２７０号明細書は、複数のコンデンサが弾性接触によって主導体に接続されている、したがってはんだを省略するフィルタを開示する。この構成は、これらのコンデンサを適切に保持する、複雑な形の主導体を有し、また多数の個別接触ばね及び部品を必要とする。
【先行技術文献】
【特許文献】
【０００７】
【特許文献１】独国特許第４２１８１７１号明細書
【特許文献２】独国特許第１０２４００８４号明細書
【特許文献３】特国特許第４０２５１５９号明細書
【特許文献４】ヨーロッパ特許第１３４９２７０号明細書
【考案の概要】
【考案が解決しようとする課題】
【０００８】
したがって、本発明は、組立が簡単であり、はんだ接合又は接着組立を含まない、高レベルの信頼性を提供するＥＭＣフィルタに関する。
【課題を解決するための手段】
【０００９】
本考案の概要
本考案によれば、これらの課題は、独立請求項に記載の構成によって解決される。
【００１０】
図面の簡単な説明
本考案は、例示され、図示された１つの実施の形態の説明によってより良好に理解される。
【図面の簡単な説明】
【００１１】
【図１】複数の主構成要素部品を有する本考案のフィルタの実施の形態を展開図で示す。
【図２】本考案のフィルタを組み立てられた形態で示す。
【図３】本考案を下から示す。
【図４】本考案のフィルタを断面で示す。
【考案を実施するための形態】
【００１２】
考案の可能な実施の形態の詳細な説明
図面によれば、本考案の可能な実施の形態は、通電に対して予測される電流の強さに応じて、及びフィルタに対して提供したい最終形に応じて、剛体の母線１５を有する、例えば、様々な断面及び形を成し得る固体銅導体を有する。本考案では、母線１５は、Ｚ字形に形成されている。しかし、当該形が、本考案の範囲内で任意に変更され得ることは、以下の説明から明らかである。導体１５が、外部接続用に、スルーホール１５１又はその他の適切な接続手段を有する。
【００１３】
この特定の実施の形態のフィルタは、１２ボルトの直流の電力系統用に使用され、特に電気自動車又はハイブリッド自動車用に適する。しかし、本考案は、単相若しくは三相又は２４０Ｖ、４００Ｖ若しくはそれ以上の交流系統用のフィルタをさらに網羅する。
【００１４】
希望するインダクタンスをフィルタに対して提供するため、磁気要素３０が、主導体１５の周囲に設置されている。
【００１５】
図示された実施の形態では、「Ｃ字形の」複数の磁気コアを使用する。複数の閉磁路を導体１５の周りに提供するため、これらの磁気コアは、２つ一組で並べて置かれている。しかし、本考案は、開磁路又は閉磁路の双方において任意の数の磁気要素を有し得ることが分かる。当該磁気コアは、好ましくは２つのホルダフレーム１８ａ及び１８ｂの適切な孔内に設置されている。これらのホルダフレーム１８ａ及び１８ｂは、背中合わせに且つ母線１５の対向する平坦な側面に接触して正常に設置されている。しかしながら、１つの実施の形態では、フィルタが、単一のホルダフレームを片側に有してもよい。当該ホルダフレームは、磁気コアを完成したフィルタ内の所定の位置に保持し、これらの磁気コアの、母線に対して平行な方向の移動を阻止する一方で、当該磁気コアの、横方向の移動は、弾性の発泡スペーサ３５によって制限される。この発泡スペーサ３５は、組み立てられたフィルタの状態では、磁気コアとハウジング１２ａ，１２ｂの壁との間に挿入されている。図示された例では、「Ｃ字形の」磁気コア３０の各々が、両ホルダフレーム１８ａ及び１８ｂ内に挿入されている。当該磁気コア３０は、母線１５の対向する側面上にあり、且つ当該ホルダフレーム１８ａ−ｂを所定の位置にホルダするために寄与する。
【００１６】
フィルタの容量成分が、コンデンサ４０によって提供される。当該コンデンサ４０は、この例では８つであり、導体の両側に設置されるものの、適切な任意の数でもよい。当該コンデンサは、四角いリードレス・タイプであり、その各々が、平坦な電気端子付きの、対向する２つの平坦面を有する。コンデンサ４０と母線１５との間の接触、及び、コンデンサ４０と接地端子４５ａとの間の接触が、弾性接触によって、はんだを使用することなしに保証される、例えば、導電性の板ばね４６によって保証される。当該板ばねはそれぞれ、コンデンサ４０と母線１５との間、及びコンデンサ４０と接地導体４５ａとの間に挿入されている（接地導体４５ａが、母線の他方の側に対称に対向して存在するものの、図示されていない）。
【００１７】
好ましくは、当該プラスチック・ホルダ１８ａ，１８ｂは、コンデンサ４０用の設置部も有する。コンデンサが、当該設置部内に正確に係合できる。この方式では、当該ホルダは、コンデンサを適切に保持し、当該コンデンサの、フィルタ内での横方向の移動を阻止する一方で、板ばね４６が、前後方向の移動を阻止する。
【００１８】
有利には、コンデンサ４０及び磁気コア３０が、ホルダフレーム１８ａ，１８ｂ内に或る程度正確に係合するように、当該ホルダフレーム１８ａ，１８ｂの設置部が寸法決めされている。この方式では、磁気コア及びコンデンサが一緒に、全ての組立段階で所定の位置に保持されるので、フィルタの組立が簡略化される。可能な組立方法に応じて、コンデンサが、ホルダフレーム１８ａ−ｂの適切な設置部内に設置され、コンデンサで充填されたホルダフレームが、適切な順序で板ばね４６及び母線１５と一緒に組み立てられ、次いで、Ｃ字形の磁気コア３０が、当該磁気コア３０のそれぞれの設置部内に横方向に摺動される。当該摺動は、ホルダフレーム１８ａ−ｂと板ばね４６とを適切に係合させる。続いて、発泡スペーサ３５及び接地導体４５ａが追加され、ハウジング１２ａ−ｂが組み込まれる。好ましくは、これらのハウジング１２ａ−ｂの半分同士が、例えばタブ１２１及びソケット１２２によって一緒に嵌着する。こうして、本考案のフィルタが、特殊な治具及び工具なしに、非常に簡単に組み立てられ得る。
【００１９】
ハウジング１２ａ，１２ｂが、プラスチック、金属化プラスチック又は金属から成る任意の適切な材料で実現され得る。
【００２０】
最後に、組み立てられたフィルタを補強するため、クランプ６０ａ，６０ｂが、当該差込部分上で嵌着される。これらのクランプ６０ａ，６０ｂは、好ましくは金属製であり、当該クランプをハウジング１２ａ，１２ｂに固着するために、当該ハウジング上の対応する緩み止め機構１７に係合するために配置された緩み止め部６７を有する。
【符号の説明】
【００２１】
１２ａ  右半分のハウジング
１２ｂ  左半分のハウジング
１５    母線
１７    ハウジング上の緩み止め機構
１８ａ  前方のホルダフレーム
１８ｂ  後方のホルダフレーム
３０    磁気コア
３５    発泡スペーサ
４０    コンデンサ
４６    板ばね
６０ａ  前方のクランプ
６０ｂ  後方のクランプ
６７    クランプの緩み止め部
１００  フィルタ
１２１  緩み止めタブ
１２２  孔
１５１  スルーホール
【図１】
0003188555.tif 000003
【図２】
0003188555.tif 000004
【図３】
0003188555.tif 000005
【図４】
0003188555.tif 000006